(57)【特許請求の範囲】
【請求項１】
自動または手動サイクル付きの小火器用薬莢排除装置であって、前記小火器は、ケーシング（１）と該ケーシング（１）に装着される銃身（２）とを含み、また前記小火器はチャンバ（３）と、反動中にケーシング（１）に関して後方に移動可能な可動要素（４）とを備え、また該可動要素（４）は反動中に薬莢（１０）を運ぶ抜取り装置（９）と、チャンバ（３）を閉鎖する要素（８）とを含み、また前記薬莢排除装置は前記閉鎖要素（８）内に装着されるエゼクタ（１２）を含むような薬莢排除装置において、該薬莢排除装置が横断軸（１７）周囲に枢着して装着される排除レバー（１６）を含み、また薬莢（１０）用の通路（１９）を備えたガイド要素（１８）を含み、この場合前記排除レバー（１６）は、可動要素（４）が前方に戻るときにガイド要素の通路（１９）の入口が薬莢（１０）の軌道内に位置するような下方ポジションと、上方ポジションとの間で傾き、この場合ボタン（２７）が設けられ、排除レバー（１６）が高いポジションを取るとき、前記ボタンによって薬莢（１０）が通路（１９）から排除されることを特徴とする薬莢排除装置。
【請求項２】
前記ボタン（２７）が可動要素（４）とワンピースで製造されることを特徴とする、請求項１に記載の薬莢排除装置。
【請求項３】
薬莢排除装置が、排除レバー（１６）を薬莢排除装置の下方ポジションに向かって押すようなスプリング（２０）を含むことを特徴とする、請求項１と２のいずれかに記載の薬莢排除装置。
【請求項４】
前記排除レバー（１６）の下方ポジションにおいて、通路（１９）が上方に傾いて小火器の前部方向を指すことを特徴とする、請求項１ないし３のいずれかに記載の薬莢排除装置。
【請求項５】
薬莢排除装置が、該薬莢排除装置の上方ポジション方向への傾きを引き起こす手段を含み、この場合前記手段は、薬莢（１０）によるかまたは直接接触することによって、可動要素（４）が前方に戻るときに該可動要素によって形成されることを特徴とする、請求項１ないし４のいずれかに記載の薬莢排除装置。
【請求項６】
薬莢排除装置が、薬莢（１０）の運動を減速するために排除レバー（１６）上に装着された制動装置（２３）を含むことを特徴とする、請求項１ないし５のいずれかに記載の薬莢排除装置。
【請求項７】
前記制動装置（２３）が、排除レバー（１６）に枢着して装着されたレバー（２４）を含み、またスプリング（２５）が前記レバー（２４）に作用して、前記制動装置がブロック（２６）と共に通路（１９）内に進入可能であることを特徴とする、請求項６に記載の薬莢排除装置。
【請求項８】
前記エゼクタ（１１）が閉鎖要素（８）の可動前部側面から形成されることを特徴とする、請求項１ないし７のいずれかに記載の薬莢排除装置。
【請求項９】
前記可動前部側面が、閉鎖要素（８）の最端部内の空洞（１３）内に弾性的に装着された要素（１２）の部分であることを特徴とする、請求項８に記載の薬莢排除装置。
【請求項１０】
薬莢排除装置が、ケーシング（１）に装着された排除チューブ（２１）を含み、この場合該チューブの後部端部は、上方ポジションの排除レバー（１６）の通路（１９）と反対側に位置することを特徴とする、請求項１ないし９のいずれかに記載の薬莢排除装置。
【請求項１１】
前記排除レバー（１６）がケーシング（１）上に枢着して装着されることを特徴とする、請求項１ないし１０のいずれかに記載の薬莢排除装置。
【発明の詳細な説明】
本発明は、自動または手動サイクル付きの小火器用薬莢排除装置に関し、この場合前記小火器は、ケーシングと該ケーシングに装着される銃身とを含み、また前記小火器はチャンバと、反動中にケーシングに関して後方に移動可能な可動要素とを備え、また該可動要素は反動中に薬莢を運ぶ抜取り装置と、チャンバを閉鎖する要素とを含み、また前記薬莢排除装置は前記閉鎖要素内に装着されるエゼクタを含む。
小火器特に歩兵用火器の自動式または手動式の「次の弾丸の薬莢／弾込めの抜取り／排除」サイクルを確実にするために、概して、ボルト、スライドおよびブリーチボルトのような上述の可動要素は、小火器のチャンバの閉鎖が確実に行われるように作動する。
可動要素の反動中、発射可能配置されていない弾薬または薬莢は、薬莢のネックを掴む抜取り装置によってチャンバから抜き取られる。
充分な行程後、薬莢の傾斜トルクはエゼクタによって発生され、該エゼクタはケーシング内に固定されるかまたは概して抜取り装置の反対側に位置するボルト内のスプリング上に装着され、これによって銃身の軸に対してほぼ垂直面内に位置する薬莢の排除軌道が確保される。
右利きの射撃手を傷つけないため、軌道の角度がエゼクタ／抜取り装置の相対ポジションによって決定されるような前記軌道は、概して銃身の軸に対してまた小火器の右側に対しほぼ垂直の方向に配置される。
可動要素の行程がグリップに配置されまた前記行程の軌道が射撃手の頭部に影響するようないわゆる「ブルパップ」銃身について不可欠な特別な修正を行うことによって、排除軌道を垂直ラインと左側ラインとの間に置き、小火器を左利きの射撃手により適切に合わせることができる。
この装置は火器の取外しに手間がかかるという点で欠点があり、これはユーザにとって利用しにくく、この結果小火器は、誤って使用した場合には負傷の危険を伴って左利きと右利きの射撃手に使用されることになる。
本発明は上述の欠点を改善し、またいかなる修正も必要としないで同一種類の小火器によって左利きと右利きの射撃手両方に適切な排除軌道を提供することを目的とし、また真に両手利きの小火器を目的とする。
この目的のために、薬莢排除装置は横断軸周囲に枢着して装着される排除レバーを含み、薬莢用の通路を備えたガイド要素を含み、この場合前記排除レバーは、可動要素が前方に戻るときにガイド要素の通路の入口が薬莢の軌道内に位置するような下方ポジションと、上方ポジションとの間で傾くことができ、この場合ボタンが設けられ、排除レバーが高いポジションを取るとき薬莢を通路から排除する。
ボタンは可動要素とワンピースで製造されることが好ましい。
薬莢排除装置は、排除レバーをその下方ポジションに向かって押すようなスプリングを含むことが可能である。
下方ポジションに向かう傾きは、可動部分が前方に戻るとき、薬莢によってまたは直接接触を行うことにより可動部分によって引き起こされる。
本発明の特徴をよりよく説明するために、添付図を参考にして限定することなしに本発明の次の実施例を例としてあげる。この場合：
図１は、本発明による薬莢排除装置を備えた小火器の部分側面図である；
図１から８は、弾薬排除中の異なったポジションにおける図１に示した小火器の部分断面図である。
図９は、図７のラインIX−IXに沿って見た断面図である。
図１０は、図４のＦ１０によって示されたアーム部分の拡大断面図である。
図１から８は、ケーシング１と、該ケーシングに装着され後部にチャンバ３を備える銃身２と、反動中に後方に動く複数の可動要素４とを含む回転ボルト付きガス作動銃身の部分を示している。
前記可動要素４は、スライド５と、発射中にチャンバ３を閉鎖する閉鎖要素８と抜取り装置９とを前部に備えたブリーチボルト６とを含む。
可動要素４の反動中、薬莢１０は、従来の構造を有する抜取り装置９によって閉鎖要素８の前部側に接触維持される。
しかし、薬莢排除装置の構造は従来装置の構造とは異なる。
第１に、閉鎖要素８は従来の薬莢排除装置を備えておらず、相対運動可能な前部側面１１を備え、この結果閉鎖要素は可動要素４の反動中に薬莢１０の充分な傾斜トルクを供給しないが、薬莢１０に軸方向の作用力を及ぼし薬莢の維持を確保する。
前部側面１１は、閉鎖要素８内の空洞１３内を移動可能な要素１２の端部からなる。スプリング４は、要素１２と空洞１３の底部との間に装着される。
図１０に示されているように前部側面１１が薬莢１０の後部面の大部分を覆うならば、閉鎖要素８は、空洞１３の底部部分によって形成されるような、チャンバ３内の圧力が上昇するときに薬莢の後部を支持するのに十分な後部ストッパ１５を含む。
薬莢１０は、このように可動要素の完全な反動の際にまた可動要素が前方に戻る際に軸方向に維持される。
第２に、排除レバー１６はチャンバ３の背面に装着され、該チャンバはケーシング１に関して横断軸１７の周囲を枢着する。
排除レバー１６はガイド要素１８を含み、これを通して薬莢１０用の通路１９が走っている。
前記排除レバー１６は、図３の下方ポジションと図１、２、８の上方ポジションとの間で傾くことができる。
下方ポジションでは、可動要素４が前方に戻るとき、通路１９の入口は薬莢１０の軌道に位置する。
前記下方ポジションでは、通路１９は斜め上方を指す。
排除レバー１６はスプリング２０によって、ストッパを形成するケーシング１の部分に向かって排除レバーの下方ポジション内に圧入される。
上方ポジションでは、ガイド要素１８は薬莢１０の軌道上方に位置する；この薬莢１０は、反動中にしたがって薬莢１０の抜取り中に前記ガイド要素１８の下に入ることが可能である。
前記上方ポジションでは、通路１９は銃身２の上方で開く。
さらに、排除チューブ２１は銃身２上方のケーシング１に装着される。
前記上方ポジションでは、排除レバー１６は排除チューブ２１の後部端部に向かって停止し、この結果薬莢が通路１９内に位置するとき、薬莢はこの排除チューブ２１内に排除される。
図９に詳しく図示されているように、排除チューブ２１の後部端部は、逆止装置２２、例えば薬莢１０が排除レバー１６に戻るのを防止し、薬莢がその作動を止めるのを防止する弁を備えている。
前記逆止装置２２は、変形自在な要素、フラットスプリングまたは細片状のダイヤフラム等によって容易に実現することができる。
前記逆止装置２２は、戻りを防止することは別にして、外部環境に関して小火器の内部メカニズムを保護し、塵埃、砂等が侵入するのを防止する。
ガイド要素１８上には、薬莢１０の運動を減速する制動装置２３が装着される。この制動装置は、枢着してガイド要素１８上に装着されるレバー２４からなり、またガイド要素１８は、レバー２４の端部に装着されたブロック２６が通路１９内に進入するようなポジションに、スプリング２５によって圧入される。
薬莢を通路１９から排除するために、ボタン２７がスライド５上に装着される。このボタンの前部端部はスライド５に関し突出し、可動要素４が前方に戻るとき通路１９に進入する。
さらにボタン２７の前部端部部分の通過を可能にするように、ガイド要素１８内に裂け目を設けることができる。
発射時に可動要素４はそれらの主要ポジションに位置し、また排除レバー１６は、可動要素４の１つの上に位置するストッパ２８によって、スプリング２０の反対側に、排除チューブ２１に向かってその上方ポジションに維持される（図１と２参照）。
可動要素４の反動運動中、排除レバー１６はスプリング２０の作動の結果として排除レバーの下方ポジションまで横断軸１７周囲に枢着し、該下方ポジションの薬莢１０の軌道内において排除レバーは通路１９の入口を用意し、図３のように薬莢の後部ポジションは抜取り装置９によって引かれる。
前記薬莢１０は、可動要素４によってなお運ばれて前に来る。
排除レバー１６は、その回転軸１７と接触スロープを形成するガイド要素１８の壁部が正しい位置にあることを前提として、図４のように薬莢１０の前進運動の結果として再び上方に押される。
その枢着運動中、抜取り装置９の前面の形状と薬莢排除装置を形成する前部側面１１の形状から生じる合成運動によって、抜取り装置９からの薬莢１０の解放が保証されるまで、図５のように排除レバー１６は薬莢１０が上方に枢着するように強制する。
その時点から、薬莢１０は排除レバー１６によって案内され、次に可動要素４は図６のように該排除レバーを後方に押し続ける。
薬莢１０は、薬莢１０上に横方向の力を及ぼす制動装置２３によって排除レバー１６の通路１９内で減速される。
排除レバー１６の行程の最後に、薬莢１０はボタン２７によって通路１９の外側前方に再び押され、前記ボタンは可動要素４によって運ばれ、図７のように第２の薬莢排除装置を形成する。
図８では、排除サイクルが終了したと判断されるように薬莢１０が排除レバー１６から排除されると、前記薬莢は、外部に向かって開放する小火器のレベルで排除レバー１６から駆動される。
人間工学的理由のため、排除チューブ２１によって排除を延長すること、すなわち最終的排除を小火器の最適な場所に持っていくことが可能となる。
順番に押し合う薬莢１０の連続によって、排除チューブ２１が空にされる。発射が停止した後に排除チューブ２１内に留まる薬莢１０は、小火器を下げることによって、重力により簡単にチューブから排出することができる。
可動要素４が前部に向かって戻る間に、また薬莢１０の上方運動と排除の間に、次の弾薬の従来の弾込めが実現される（可動要素４を用いて装填装置によって行われる弾薬の押し出しと、チャンバ３内への導入）。
上述の薬莢排除装置によって、まだ排除されていない薬莢１０と排除レバー１６は、弾込めされる弾薬に対する案内限度を確実にし、この結果誤って運ばれる弾込めのリスクは著しく低減される。
薬莢排除装置は空の薬莢の排除を可能にするだけでなく、発射可能に配置されていない弾薬の排除も可能にする。
排除レバー１６の頂部に対する枢着は、必ずしも上述の可動要素４によって引き起こされる必要はない。他の可動要素またはそれ自体に対し相対的運動を行ういかなる他の要素によっても引き起こすことができる。
本発明の範囲内に留まりつつ、上述の例に対し非常に多くの修正が可能であることが明らかである。
特に、銃身はケーシングに関し必ずしも固定する必要がない。本発明は、本出願人がベルギーに出願した特許出願に記述されているように銃身が前部に対し可動自在であるような型式の小火器の例に適用することができる。
【図１】
0003664494.tif 000002
【図２】
0003664494.tif 000003
【図３】
0003664494.tif 000004
【図４】
0003664494.tif 000005
【図５】
0003664494.tif 000006
【図６】
0003664494.tif 000007
【図７】
0003664494.tif 000008
【図８】
0003664494.tif 000009
【図９】
0003664494.tif 000010
【図１０】
0003664494.tif 000011